【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
ａ）熱エネルギーを導入することによって非気体の担持媒体を気体の担持媒体に変換して、前記気体の担持媒体が上昇し、位置エネルギーを獲得するようにする工程と、
ｂ）前記気体の担持媒体の冷却を、搬送媒体を介して行うことによって、所与の高さの所で前記気体の担持媒体を非気体の担持媒体に戻すように変換する工程と、
ｃ）回収された前記非気体の担持媒体の前記位置エネルギーを他の形態のエネルギーに変換する工程と、
ｄ）前記担持媒体の冷却によって得られた前記搬送媒体の加熱を、導入される熱エネルギーに寄与するように利用する工程と、
を有する、エネルギーを変換する方法。
【請求項２】
さらに、熱エネルギーを、前記気体の担持媒体が乗り越える高さ方向に分散させて前記担持媒体に導入する、請求項１に記載の方法。
【請求項３】
導入される前記熱エネルギーを地熱、水の熱、空気の熱、化石エネルギー担体、核エネルギー担体、および太陽エネルギーの少なくとも１つから回収する、請求項１または２に記載の方法。
【請求項４】
前記冷却を、所与の高さに配置された冷却領域に前記搬送媒体を通すことによって行う、請求項１に記載の方法。
【請求項５】
前記戻すように変換するのを促進するために物質を前記担持媒体内に直接導入する、請求項１〜４のいずれか１項に記載の方法。
【請求項６】
回収された前記非気体の担持媒体の回収された位置エネルギーを他の形態のエネルギーに変換する前に該担持媒体を中間的に蓄積する、請求項１〜５のいずれか１項に記載の方法。
【請求項７】
前記担持媒体の前記位置エネルギーを他の形態のエネルギーに変換するために、先ず、回収された前記非気体の担持媒体を高い高さから低い高さへ下降させることによって前記位置エネルギーを運動エネルギーに変換し、次に、該運動エネルギーを他の形態のエネルギーに変換する、請求項１〜６のいずれか１項に記載の方法。
【請求項８】
前記位置エネルギーを機械エネルギー、電気エネルギー、化学エネルギー担体を生成するエネルギー、および物理エネルギー担体を生成するエネルギーの少なくとも１つに変換する、請求項１〜７のいずれか１項に記載の方法。
【請求項９】
回収された前記非気体の担持媒体を、前記位置エネルギーを他の形態のエネルギーへ変換した後に中間的に蓄積する、請求項１〜８のいずれか１項に記載の方法。
【請求項１０】
回収された前記非気体の担持媒体を、前記位置エネルギーを他の形態のエネルギーに変換した後に、少なくとも部分的に、閉じた循環系にさらに用いられ、該閉じた循環系で工程ａ）が続いて行われる、請求項１〜９のいずれか１項に記載の方法。
【請求項１１】
前記非気体の担持媒体を、工程ａ）において気体の担持媒体に変換することによって蒸留し、蒸留され回収された当該非気体の担持媒体を、前記位置エネルギーを他の形態のエネルギーへ変換する前または変換した後に少なくとも部分的に取り出す、請求項１〜１０のいずれか１項に記載の方法。
【請求項１２】
前記気体の担持媒体が、該担持媒体によって一緒に運ばれる充填媒体を包含する中空室内を上昇する、請求項１〜１１のいずれか１項に記載の方法。
【請求項１３】
−中空室と、
−前記中空室の下端に配置され、熱エネルギーを導入することによって非気体の担持媒体を気体の担持媒体に変換して、該担持媒体が前記中空室内を上昇し、位置エネルギーを獲得するように構成された集合状態変換器と、
−前記中空室の上端に配置され、前記気体の担持媒体から回収された非気体の担持媒体を収集するように構成された収集器であって、前記収集器が冷却ユニットを備え、前記冷却ユニットが、搬送媒体を通すことによって前記気体の担持媒体を冷却し、前記気体の担持媒体を非気体の担持媒体に戻すように変換する、収集器と、
−回収された前記非気体の担持媒体の前記位置エネルギーを他の形態のエネルギーに変換するように構成されたエネルギー変換装置と、
−前記担持媒体の冷却によって暖められた搬送媒体を、前記集合状態変換器に案内し、導入される熱エネルギーに寄与させる、熱戻り管路と、
を有する、エネルギーを変換する装置。
【請求項１４】
熱エネルギーを前記中空室の高さ方向にわたって分散させて導入するように構成されたエネルギー導入要素をさらに有する、請求項１３に記載の装置。
【請求項１５】
導入される前記熱エネルギーを、地熱、水の熱、空気の熱、化石エネルギー担体、核エネルギー担体、および太陽エネルギーの少なくとも１つから回収するように構成されたエネルギー回収要素をさらに有する、請求項１３または１４に記載の装置。
【請求項１６】
前記冷却ユニットは、前記気体の担持媒体を冷却するために搬送媒体が流れる冷却領域を備える、請求項１３に記載の装置。
【請求項１７】
前記収集器は、前記気体の担持媒体を非気体の担持媒体に戻すように変換するのを促進するために物質を前記担持媒体内に直接導入する手段を備える、請求項１３〜１６のいずれか１項に記載の装置。
【請求項１８】
回収された前記非気体の担持媒体の位置エネルギーを他の形態のエネルギーに変換する前に前記担持媒体を中間的に蓄積するように構成された中間蓄積器をさらに有する、請求項１３〜１７のいずれか１項に記載の装置。
【請求項１９】
前記エネルギー変換装置は、回収された前記非気体の担持媒体を高い高さから低い高さへ下降させることによって前記位置エネルギーを運動エネルギーに変換するように構成された下り路と、前記運動エネルギーを他の形態のエネルギーに変換するように構成されたエネルギー変換器と、を有する、請求項１３〜１８のいずれか１項に記載の装置。
【請求項２０】
前記エネルギー変換装置は、回収された前記非気体の担持媒体の前記位置エネルギーを機械エネルギー、電気エネルギー、化学エネルギー担体を生成するエネルギー、または、物理エネルギー担体を生成するエネルギーに変換するように構成されている、請求項１３〜１９のいずれか１項に記載の装置。
【請求項２１】
前記位置エネルギーを他の形態のエネルギーに変換した後に、回収された前記非気体の担持媒体を中間的に蓄積するように構成された中間蓄積器をさらに有する、請求項１３〜２０のいずれか１項に記載の装置。
【請求項２２】
前記エネルギー変換装置は、回収された前記非気体の担持媒体が、前記位置エネルギーが他の形態のエネルギーに変換された後に、前記中空室の下端に配置された前記集合状態変換器に元通り供給されるように構成されている、請求項１３〜２１のいずれか１項に記載の装置。
【請求項２３】
前記非気体の担持媒体が、気体の担持媒体への変換によって蒸留されるようになっており、回収された前記非気体の担持媒体を、前記位置エネルギーが他の形態のエネルギーに変換される前または変換された後に少なくとも部分的に取り出すように構成された取り出し接続部をさらに有する、請求項１３〜２２のいずれか１項に記載の装置。
【請求項２４】
前記中空室は、前記担持媒体によって一緒に運ばれる充填媒体を包含している、請求項１３〜２３のいずれか１項に記載の装置。
【請求項２５】
請求項１３〜２４のいずれか１項に記載の装置と、請求項１３〜２４のいずれか１項に記載の当該装置に供給される熱エネルギーを回収するように構成された少なくとも１つの装置と、を有するシステム。
【請求項２６】
前記担持媒体の位置エネルギーを他の形態のエネルギーに変換するために、回収された非気体の担持媒体を、高い高さから低い高さに下降させて、低い高さに配置されたタービンを駆動する、請求項１〜１２のいずれか１項に記載の方法。
【請求項２７】
前記エネルギー変換装置が、回収された非気体の担持媒体を高い高さから低い高さに下降させることができる下り路を備え、更に前記エネルギー変換装置が、タービンを備え、前記タービンが、低い高さに配置され、下降する担持媒体によって駆動される、請求項１３〜２４のいずれか１項に記載の方法。